【手続補正書】
【提出日】平成26年11月25日(2014.11.25)
【手続補正１】
【補正対象書類名】特許請求の範囲
【補正対象項目名】全文
【補正方法】変更
【補正の内容】
【特許請求の範囲】
【請求項１】
関連付けられたデータを記憶する記憶装置と通信可能な情報処理装置であって、
前記データを表示する表示手段と、
前記表示手段により表示されたデータの指定を受け付ける指定受付手段と、
前記指定受付手段により指定を受け付けたデータと関連付くデータをサジェスト表示すべく、前記記憶装置へ当該指定を受け付けたデータと関連付くデータのデータ取得要求を送信するデータ取得要求送信手段と、
前記データ取得要求送信手段により送信されたデータ取得要求に従って、前記指定を受け付けたデータをキーにして決定された当該指定を受け付けたデータと関連付けられたデータを前記記憶装置から取得するデータ取得手段と
を備え、
前記表示手段は、前記指定を受け付けたデータと関連付けられたデータが存在することを示すべく、前記データ取得手段で取得したデータをサジェスト表示することを特徴とする情報処理装置。
【請求項２】
前記表示手段でサジェスト表示している時間を取得する時間取得手段と、
前記時間取得手段で取得した時間が所定時間を超えたか否かを判定する時間判定手段と、
前記時間判定手段で所定時間を超えたと判定した場合に、前記指定されたデータを確認済みとして設定する確認設定手段と
を更に備えることを特徴とする請求項１に記載の情報処理装置。
【請求項３】
前記確認設定手段は、ユーザの指示に応じてサジェスト表示を非表示とする場合に、前記指定されたデータを確認済みとして設定することを特徴とする請求項２に記載の情報処理装置。
【請求項４】
前記サジェスト表示するデータを設定するサジェスト表示設定手段と、
前記指定されたデータについて、サジェスト表示設定がされているか否かを判定するサジェスト表示設定判定手段と
を更に備え、
前記表示手段は、前記サジェスト表示設定判定手段で、サジェスト表示設定されていると判定された場合に、前記データ取得手段で取得したデータをサジェスト表示することを特徴とする請求項１乃至３のいずれか１項に記載の情報処理装置。
【請求項５】
前記指定受付手段は、カーソルをデータ上に載せたマウスホバー操作によってデータの指定を受け付け、
前記データ取得要求送信手段は、前記マウスホバーされたデータを取得して、当該データを含むデータ取得要求を前記記憶装置に送信することを特徴とする請求項１乃至４のいずれか１項に記載の情報処理装置。
【請求項６】
関連付けられたデータを記憶する記憶装置と情報処理装置とを含む情報処理システムであって、
前記情報処理装置は、
前記データを表示する表示手段と、
前記表示手段により表示されたデータの指定を受け付ける指定受付手段と、
前記指定受付手段により指定を受け付けたデータと関連付くデータをサジェスト表示すべく、前記記憶装置へ当該指定を受け付けたデータと関連付くデータのデータ取得要求を送信するデータ取得要求送信手段と、
前記データ取得要求送信手段により送信されたデータ取得要求に従って、前記指定を受け付けたデータをキーにして決定された当該指定を受け付けたデータと関連付けられたデータを前記記憶装置から取得するデータ取得手段と
を備え、
前記記憶装置は、
前記データ取得要求送信手段により送信されたデータ取得要求に従って、前記指定を受け付けたデータをキーにして決定された当該指定を受け付けたデータと関連付けられたデータを検索するデータ検索手段と、
前記データ検索手段により検索されたデータを前記情報処理装置に送信するデータ送信手段と
を備え、
前記表示手段は、前記指定を受け付けたデータと関連付けられたデータが存在することを示すべく、前記データ取得手段で取得したデータをサジェスト表示することを特徴とする情報処理システム。
【請求項７】
関連付けられたデータを記憶する記憶装置と通信可能な情報処理装置の処理方法であって、
前記情報処理装置が、
前記データを表示する表示ステップと、
前記表示ステップにより表示されたデータの指定を受け付ける指定受付ステップと、
前記指定受付ステップにより指定を受け付けたデータと関連付くデータをサジェスト表示すべく、前記記憶装置へ当該指定を受け付けたデータと関連付くデータのデータ取得要求を送信するデータ取得要求送信ステップと、
前記データ取得要求送信ステップにより送信されたデータ取得要求に従って、前記指定を受け付けたデータをキーにして決定された当該指定を受け付けたデータと関連付けられたデータを前記記憶装置から取得するデータ取得ステップと
を実行し、
前記表示ステップは、前記指定を受け付けたデータと関連付けられたデータが存在することを示すべく、前記データ取得ステップで取得したデータをサジェスト表示することを特徴とする処理方法。
【請求項８】
関連付けられたデータを記憶する記憶装置と情報処理装置とを含む情報処理システムの処理方法であって、
前記情報処理装置が、
前記データを表示する表示ステップと、
前記表示ステップにより表示されたデータの指定を受け付ける指定受付ステップと、
前記指定受付ステップにより指定を受け付けたデータと関連付くデータをサジェスト表示すべく、前記記憶装置へ当該指定を受け付けたデータと関連付くデータのデータ取得要求を送信するデータ取得要求送信ステップと、
前記データ取得要求送信ステップにより送信されたデータ取得要求に従って、前記指定を受け付けたデータをキーにして決定された当該指定を受け付けたデータと関連付けられたデータを前記記憶装置から取得するデータ取得ステップと
を実行し、
前記記憶装置が、
前記データ取得要求送信ステップにより送信されたデータ取得要求に従って、前記指定を受け付けたデータをキーにして決定された当該指定を受け付けたデータと関連付けられたデータを検索するデータ検索ステップと、
前記データ検索ステップにより検索されたデータを前記情報処理装置に送信するデータ送信ステップと
を実行し、
前記表示ステップは、前記指定を受け付けたデータと関連付けられたデータが存在することを示すべく、前記データ取得ステップで取得したデータをサジェスト表示することを特徴とする処理方法。
【請求項９】
関連付けられたデータを記憶する記憶装置と通信可能な情報処理装置で実行可能なプログラムであって、
前記情報処理装置を、
前記データを表示する表示手段と、
前記表示手段により表示されたデータの指定を受け付ける指定受付手段と、
前記指定受付手段により指定を受け付けたデータと関連付くデータをサジェスト表示すべく、前記記憶装置へ当該指定を受け付けたデータと関連付くデータのデータ取得要求を送信するデータ取得要求送信手段と、
前記データ取得要求送信手段により送信されたデータ取得要求に従って、前記指定を受け付けたデータをキーにして決定された当該指定を受け付けたデータと関連付けられたデータを前記記憶装置から取得するデータ取得手段と
して機能させ、
前記表示手段は、前記指定を受け付けたデータと関連付けられたデータが存在することを示すべく、前記データ取得手段で取得したデータをサジェスト表示することを特徴とするプログラム。
【請求項１０】
関連付けられたデータを記憶する記憶装置と情報処理装置とを含む情報処理システムで実行可能なプログラムであって、
前記情報処理装置を、
前記データを表示する表示手段と、
前記表示手段により表示されたデータの指定を受け付ける指定受付手段と、
前記指定受付手段により指定を受け付けたデータと関連付くデータをサジェスト表示すべく、前記記憶装置へ当該指定を受け付けたデータと関連付くデータのデータ取得要求を送信するデータ取得要求送信手段と、
前記データ取得要求送信手段により送信されたデータ取得要求に従って、前記指定を受け付けたデータをキーにして決定された当該指定を受け付けたデータと関連付けられたデータを前記記憶装置から取得するデータ取得手段と
して機能させ、
前記記憶装置を、
前記データ取得要求送信手段により送信されたデータ取得要求に従って、前記指定を受け付けたデータをキーにして決定された当該指定を受け付けたデータと関連付けられたデータを検索するデータ検索手段と、
前記データ検索手段により検索されたデータを前記情報処理装置に送信するデータ送信手段と
して機能させ、
前記表示手段は、前記指定を受け付けたデータと関連付けられたデータが存在することを示すべく、前記データ取得手段で取得したデータをサジェスト表示することを特徴とするプログラム。